(57)【要約】      （修正有）【課題】回路基板を絶縁した状態で金属カバーに取り付け可能な、安価で作業工数の少ない構造を有する光ディスク記録再生装置を提供することにある。【解決手段】ＤＶＤ記録再生装置は、複数の貫通孔７ｂと、絶縁処理が施され、上面に放熱剤が塗布されたＩＣパッケージ７ａと、を有するメインＰＣＢ７と、複数の凸部９ａが一体に形成され、凸部９ａの上面がＩＣパッケージ７ａの上面全体と接するようにして設置される金属製のボトムカバー９と、ボトムカバー９上に設置され、貫通孔７ｂに挿入嵌合され、メインＰＣＢ７をボトムカバー９の垂直方向上方に一定距離を保って設置するスペーサ１１とを備える。【選択図】図２
0003107721.tif 000002
【実用新案登録請求の範囲】
【請求項１】
複数の貫通孔と、絶縁処理が施され、上面に放熱剤が塗布された略直方体のＩＣパッケージと、を有する回路基板と、
前記ＩＣパッケージの上面よりも面積の大きな上面を有する複数の凸部が一体に形成され、前記凸部の上面が前記ＩＣパッケージの上面全体と接するようにして設置される金属製のボトムカバーと、
略円柱状の本体と、前記本体の先端面に形成され、前記本体の径よりも小さい径を有する略円柱状の括れ部と、前記括れ部の先端面に形成され、根元から先端に向かって径が小さくなる先端部と、を有する樹脂成形で一体に成形された絶縁性のスペーサであって、前記ボトムカバー上に設置され、前記貫通孔に前記先端部を挿入して前記括れ部で嵌合することによって、前記回路基板を前記ボトムカバーの垂直方向上方に一定距離を保って設置するスペーサと、を備えることを特徴とする光ディスク記録再生装置。
【請求項２】
回路基板と、
金属製のボトムカバーと、
樹脂成形で一体に成形された絶縁性のスペーサであって、前記ボトムカバー上に設置され、前記ボトムカバーの垂直方向上方に一定距離を保って前記回路基板を設置するスペーサと、を備えることを特徴とする光ディスク記録再生装置。
【請求項３】
前記回路基板は絶縁処理が施された略直方体のＩＣパッケージを複数搭載しており、
前記ボトムカバーには、前記ＩＣパッケージ上面よりも面積の大きな上面を有する複数の凸部が一体に形成されており、
前記凸部の上面は前記ＩＣパッケージの上面全体と接するようにして設置されることを特徴とする、請求項２に記載の光ディスク記録再生装置。
【請求項４】
前記ＩＣパッケージは、上面に放熱剤を塗布されることを特徴とする、請求項３に記載の光ディスク記録再生装置。
【請求項５】
前記回路基板は、さらに複数の貫通孔を備えており、
前記スペーサは、略円柱状の本体と、前記本体の先端面に形成され、前記本体の径よりも小さい径を有する略円柱状の括れ部と、前記括れ部の先端面に形成され、根元から先端に向かって径が小さくなる先端部と、を備えており、
前記回路基板と前記スペーサは、前記貫通孔に前記先端部を挿入し、前記括れ部で嵌合することによって固定されることを特徴とする、請求項２乃至４の何れか一つに記載の光ディスク記録再生装置。
【請求項６】
前記光ディスク記録再生装置はＣＤ記録再生装置であることを特徴とする、請求項２乃至５の何れか一つに記載の光ディスク記録再生装置。
【請求項７】
前記光ディスク記録再生装置はＤＶＤ記録再生装置であることを特徴とする、請求項２乃至５の何れか一つに記載の光ディスク記録再生装置。
【考案の詳細な説明】
【技術分野】
【０００１】
本考案は、絶縁性のスペーサを使用して回路基板を絶縁した状態で金属カバーに取り付ける構造を有する光ディスク記録再生装置に関する。
【背景技術】
【０００２】
光ディスク記録再生装置に於いて、回路基板を絶縁した状態で金属カバーに取り付ける場合、一般に回路基板と金属カバーとの間に絶縁シートを挟設する方法が採用される。そして、絶縁シートと金属カバーは両面テープ等によって固定されている。しかし、この方法では部品点数が多くなるので、生産コストが嵩むだけでなく、作業工程が煩雑になる等の問題が生じる。
【０００３】
また、絶縁シートを使用せずに回路基板を絶縁された状態で金属カバーに取り付ける方法として、例えば下記の発明が提案されている。特許文献１には、円柱状の導電性支持スタッドを使用して、回路基板を該支持スタッドの一端部にボルトで固定し、金属基板をもう一方の端部に嵌合する構成が開示されている。ただし、特許文献１に記載の支持スタッドは、回路基板側の端面に絶縁体が設置されているので、回路基板は絶縁された状態で支持スタッドを介して金属カバーに取り付けられる。また、特許文献２には、雌ネジを有する金具を樹脂製基台の両端部に設けた絶縁サポートを使用して、回路基板を該絶縁サポートの一端部にネジ留めし、金属カバーをもう一方の端部にネジ留めする構成が開示されている。さらに、特許文献３には、雌ネジを有する金具を絶縁性の樹脂製筒状基台の少なくとも一端部に埋設した絶縁サポートを使用して、回路基板を該絶縁サポートの一端部にネジ留めし、金属カバーをもう一方の端部にネジ留めする構成が開示されている。
【特許文献１】特開平１０−２７０８７２号公報（第４−５頁、第１図）
【特許文献２】実開平３−１４９０号公報（第４−５頁、第３図）
【特許文献３】実開平３−３８６７８号公報（第５−８頁、第３図）
【考案の開示】
【考案が解決しようとする課題】
【０００４】
上述の通り、特許文献１では支持スタッドの端部に絶縁体を設置する必要があり、複数の部材が必要となるので、生産コストが嵩むという問題と作業工程が煩雑になるという問題を解決していない。また、特許文献２及び３については、絶縁サポートの端部に雌ネジを有する金具を設ける必要があり、複数の部材が必要となるので、生産コストが嵩むという問題と作業工程が煩雑になるという問題を解決していない。
【０００５】
したがって、本考案の目的は、回路基板を絶縁した状態で金属カバーに取り付け可能な、安価で作業工数の少ない構造を有する光ディスク記録再生装置を提供することにある。
【課題を解決するための手段】
【０００６】
第１考案に係る光ディスク記録再生装置は、複数の貫通孔と、絶縁処理が施され、上面に放熱剤が塗布された略直方体のＩＣパッケージと、を有する回路基板と、ＩＣパッケージの上面よりも面積の大きな上面を有する複数の凸部が一体に形成され、凸部の上面がＩＣパッケージの上面全体と接するようにして設置される金属製のボトムカバーと、略円柱状の本体と、本体の先端面に形成され、本体の径よりも小さい径を有する略円柱状の括れ部と、括れ部の先端面に形成され、根元から先端に向かって径が小さくなる先端部と、を有する樹脂成形で一体に成形された絶縁性のスペーサであって、ボトムカバー上に設置され、貫通孔に先端部を挿入して括れ部で嵌合することによって、回路基板をボトムカバーの垂直方向上方に一定距離を保って設置するスペーサと、を備えることを特徴とする。
【０００７】
この光ディスク記録再生装置によれば、絶縁性のスペーサを使用することによって、回路基板を金属製のボトムカバーに接触することなく絶縁された状態で設置することが出来る。
【０００８】
また、この光ディスク記録再生装置によれば、ＩＣパッケージの上面とボトムカバーに備えられた凸部の上面と接するようにして固定されるので、ＩＣパッケージの厚みと凸部の厚みとを加えた距離を保って回路基板をボトムカバーの垂直方向上方にボトムカバーに対して平行な状態で設置することが出来る。したがって、回路基板若しくはボトムカバーに応力が加えられたとしても、回路基板とボトムカバーとの接触を防ぐことが出来る。さらに、この光ディスク装置によれば、ＩＣパッケージの上面に放熱剤を塗布するので、ＩＣパッケージとボトムカバーとの接触熱抵抗を良好な状態にすることが出来る。
【０００９】
また、この光ディスク記録再生装置によれば、スペーサが樹脂成形で一体に成形されるので、複数部材で構成されるスペーサに比して、生産コストを抑えることができ、作業工程が煩雑になることを防止することが出来る。
【００１０】
また、この光ディスク記録再生装置によれば、回路基板に形成された貫通孔にスペーサに形成された先端部が挿入され、括れ部で嵌合されるので、回路基板とスペーサを確実に固定することが出来る。  
【００１１】
第２考案に係る光ディスク記録再生装置は、回路基板と、金属製のボトムカバーと、樹脂成形で一体に形成された絶縁性のスペーサであって、ボトムカバー上に設置され、ボトムカバーの垂直方向上方に一定距離を保って回路基板を設置するスペーサと、を備えることを特徴とする。
【００１２】
この光ディスク記録再生装置によれば、絶縁性のスペーサを使用することによって、回路基板を金属製のボトムカバーに接触することなく絶縁された状態で設置することができる。また、スペーサが樹脂成形で一体に成形されるので、複数部材で構成されるスペーサに比して、生産コストを抑えることができ、作業工程が煩雑になることを防止することが出来る
第３考案に係る光ディスク記録再生装置は、第２考案に係る光ディスク記録再生装置に於いて、回路基板は絶縁処理が施された略直方体のＩＣパッケージを複数搭載しており、ボトムカバーには、ＩＣパッケージ上面よりも面積の大きな上面を有する複数の凸部が一体に形成されており、凸部の上面はＩＣパッケージの上面全体と接するようにして設置されることを特徴とする。
【００１３】
この光ディスク記録再生装置によれば、ＩＣパッケージの上面とボトムカバーに備えられた凸部の上面と接するようにして設置されるので、ＩＣパッケージの厚みと凸部の厚みとを加えた距離を保って回路基板とボトムカバーを固定することが出来る。したがって、回路基板若しくはボトムカバーに応力が加えられたとしても、回路基板とボトムカバーとの接触を防ぐことが出来る。
【００１４】
第４考案に係る光ディスク記録再生装置は、第３考案に係る光ディスク記録再生装置に於いて、ＩＣパッケージは、上面に放熱剤を塗布されることを特徴とする。
【００１５】
この光ディスク記録再生装置によれば、ＩＣパッケージの上面に放熱剤を塗布するので、ＩＣパッケージとボトムカバーとの接触熱抵抗を低減し、熱伝導を良好な状態にすることが出来る。
【００１６】
第５考案に係る光ディスク記録再生装置は、第２乃至第４考案の何れか一つに係る光ディスク記録再生装置に於いて、回路基板は、さらに複数の貫通孔を備えており、スペーサは、略円柱状の本体と、本体の先端面に形成され、本体の径よりも小さい径を有する略円柱状の括れ部と、括れ部の先端面に形成され、根元から先端に向かって径が小さくなる先端部と、を備えており、回路基板とスペーサは、貫通孔に先端部を挿入し、括れ部で嵌合
することによって固定されることを特徴とする。
【００１７】
この光ディスク記録再生装置によれば、回路基板に形成された貫通孔にスペーサに形成された先端部が挿入され、括れ部で嵌合されるので、回路基板とスペーサを確実に固定することが出来る。
【００１８】
第６考案に係る光ディスク記録再生装置は、第２乃至第５考案の何れか一つに係る光ディスク記録再生装置において、ＣＤ記録再生装置であることを特徴とする。
【００１９】
この光ディスク装置によれば、絶縁性のスペーサを使用することによって回路基板を金属製のボトムカバーに接触することなく絶縁された状態で設置する構造を、ＣＤ記録再生装置に適用することによって、ＣＤ記録再生装置の生産コストを削減し、作業工程を簡素化することが出来る。
【００２０】
第７考案に係る光ディスク記録再生装置は、第２乃至第５考案の何れか一つに係る光ディスク記録再生装置において、ＤＶＤ記録再生装置であることを特徴とする。
【００２１】
この光ディスク記録再生装置によれば、絶縁性のスペーサを使用することによって回路基板を金属製のボトムカバーに接触することなく絶縁された状態で設置する構造を、ＤＶＤ記録再生装置に適用することによって、ＤＶＤ記録再生装置の生産コストを削減し、作業工程を簡素化する一助となる。
【考案の効果】
【００２２】
本考案によれば、絶縁性のスペーサを使用することにより回路基板を絶縁した状態で金属カバーに設置することが可能となり、さらに、絶縁性のスペーサが樹脂成形で一体に成形されるので、生産コストを抑えることが出来るだけでなく、回路基板を金属カバーに取り付ける際の作業工程を容易にすることが出来る。
【考案を実施するための最良の形態】
【００２３】
[全体構成]
図１は、本実施形態に係るＤＶＤ記録再生装置１の分解斜視図である。ＤＶＤ記録再生装置１は、トップカバー２、ベース３、トレー４、フロントカバー５、トレーパネル６、メインＰＣＢ７、サブＰＣＢ８、ボトムカバー９を備えている。
【００２４】
トップカバー２は、断面形状略コ字型の金属製部材であり、ＤＶＤ記録再生装置１の上面及び側面を覆う形で、ベース３及びボトムカバー９とネジ１０によって固定される。
【００２５】
ベース３は、トレー４を移動させるローディング部やＤＶＤからのデータ読み取り及び書き込みを行う光ピックアップ部等（図示せず）を搭載する樹脂製部材であり、トップカバー２及びボトムカバー９に挟設される形でネジ留めされる。
【００２６】
トレー４は、ＤＶＤ記録再生装置１の内外にスライド可能にベース３に設置されており、ＤＶＤを装着して再生／記録可能な状態にする。フロントパネル５は略矩形の貫通孔５ａを備える略直方体の部材であり、複数の入力キー５ｂを備えている。フロントパネル５は、トップカバー２、ベース３、及び、ボトムカバー９の固定によって形成された前面開口部を覆う形で固定される。トレーパネル６は、トレー４の前面に設置される部材であり、トレー４がＤＶＤ記録再生装置１の内部に収納された状態で、フロントパネル５に形成された貫通孔５ａを塞ぐことによって、ＤＶＤ記録再生装置１内への塵埃の侵入を防止する。
【００２７】
メインＰＣＢ７は、ＤＶＤ記録再生装置１の動作を制御するプリント回路基板であり、例えば絶縁処理が施されたＩＣパッケージ７ａ等のＩＣパッケージを複数搭載し、複数の貫通孔７ｂを形成している。また、メインＰＣＢ７はベース３とボトムカバー９に挟設される形で固定され、メインＰＣＢ７のＩＣパッケージ７ａを搭載した面がボトムカバー９側に向けられて配置される。サブＰＣＢ８は、イジェクトスイッチ、ＬＥＤ等（図示せず
）が搭載された回路基板であり、ＦＰＣ８ａによってＰＣＢ７に接続される。ＦＰＣ８ａは、屈曲性のある回路基板（Flexible Printed Circuit）であり、ＰＣＢ８からの信号をメインＰＣＢ７に伝達する。
【００２８】
ボトムカバー９は金属製部材であり、複数の貫通孔９ｂを形成しており、複数の凸部９ａをプレス加工等によって一体に形成している。また、ボトムカバー９は、ＤＶＤ記録再生装置１の底面を覆うようにして、貫通孔９ｂを介してベース３及びトップカバー２とネジ１０によって固定される。
【００２９】
[ＰＣＢの取り付け構造]
図２（ａ）は、本実施形態に係るＤＶＤ記録再生装置１のメインＰＣＢ７及びボトムカバー９の上面図であり、図２（ｂ）はＤＶＤ記録再生装置１のメインＰＣＢ７及びボトムカバー９の断面図である。また、図３（ａ）はスペーサ１１の側面図であり、図３（ｂ）はスペーサ１１の上面図である。
【００３０】
図２（ａ）及び（ｂ）に図示されている通り、メインＰＣＢ７は複数のＩＣパッケージ７ａを備えており、ボトムカバー９は複数の凸部９ａを備えている。凸部９ａはＩＣパッケージ７ａが設置される位置に合わせて形成されており、ＩＣパッケージ７ａの上面全体が凸部９ａの上面と接している。さらに、ＩＣパッケージ７ａの厚みと、該ＩＣパッケージ７ａに接する凸部９ａの厚みとを加えた厚みが所定の厚みになるように設定されている。例えば、本実施形態に於いて、厚みの異なるＩＣパッケージ７ａを複数使用する場合には、該ＩＣパッケージ７ａの厚みに応じてボトムカバー９に形成される凸部９ａの厚みを適宜変更して形成することにより、ＩＣパッケージ７ａの厚みと凸部９ａの厚みとを加えた厚みが一定の値になるようにする。また、ＩＣパッケージ７ａの上面には放熱用グリースが塗布されている。したがって、ＩＣパッケージ７ａとボトムカバー９との接触熱抵抗を低減し、熱伝導を良好な状態にすることが出来る。さらに、メインＰＣＢ７は複数の貫通孔７ｂを備えており、該貫通孔７ｂにスペーサ１１が挿入嵌合される。
【００３１】
スペーサ１１は樹脂成形で一体に成形されており、図３（ａ）及び（ｂ）に図示されているように、略円柱状の本体１１ａと、該本体１１ａの先端面に形成され、本体１１ａの径よりも小さな径を有する括れ部１１ｃと、該括れ部１１ｃの先端面に形成され、根元から先端にかけて径が徐々に小さくなる先端部１１ｂで構成されている。なお、本体１１ａの長さは、ＩＣパッケージ７ａの厚みとボトムカバー９に形成された凸部９ａの厚みを加えた厚みと略同一の長さである。そして、スペーサ１１に形成された先端部１１ｂは、メインＰＣＢ７に形成された貫通孔７ｂに挿入され、括れ部１１ｃで嵌合されることによって固定される。なお、スペーサ１１の先端部１１ｂの形状は本実施形態に記載した形状に限らず、メインＰＣＢ７に形成された貫通孔７ｂに挿入嵌合可能な形状で、メインＰＣＢ７との嵌合が容易に外れない形状であれば、適宜変更しても良い。
【００３２】
また、本実施形態では、絶縁性のスペーサ１１を使用してメインＰＣＢ７を絶縁した状態で金属製のボトムカバーに設置する構造をＤＶＤ記録再生装置に適用したが、ＤＶＤ記録再生装置に限らず、ＣＤ記憶再生装置等の光ディスク媒体を再生／記録可能な装置に適用することが可能であり、同様の効果を得ることが出来る。
【００３３】
[作用効果]
本実施形態に係るＤＶＤ記録再生装置１によれば、スペーサ１１の使用により、メインＰＣＢ７をボトムカバー９に接触させることなく絶縁された状態で設置することが出来る。
【００３４】
また、本実施形態に係るＤＶＤ記録再生装置１によれば、ＩＣパッケージ７ａの上面と
ボトムカバー９に備えられた凸部９ａの上面とが接するようにして設置されるので、ＩＣパッケージ７ａの厚みと凸部９ａの厚みとを加えた距離を保って、メインＰＣＢ７をボトムカバー９の垂直方向上方にボトムカバー９に対して平行な状態で設置することが出来る。したがって、メインＰＣＢ７若しくはボトムカバー９に応力が加えられたとしても、メインＰＣＢ７とボトムカバー９との接触を防ぐことが出来る。
【００３５】
また、本実施形態に係るＤＶＤ記録再生装置１によれば、ＩＣパッケージ７ａの上面に放熱グリースを塗布するので、ＩＣパッケージ７ａとボトムカバー９との接触熱抵抗を低減し、熱伝導を良好な状態にすることが出来る。
【００３６】
また、本実施形態に係るＤＶＤ記録再生装置１によれば、スペーサ１１が樹脂成形で一体に成形されるので、複数部材で構成されるスペーサに比して、生産コストを抑えることができ、作業工程が煩雑になることを防止することが出来る。
【００３７】
また、本実施形態に係るＤＶＤ記録再生装置１によれば、メインＰＣＢ７に形成された貫通孔７ｂにスペーサ１１に形成された先端部１１ｂが挿入され、括れ部１１ｃで嵌合されるので、メインＰＣＢ７とスペーサ１１とを確実に固定することが出来る。  
【図面の簡単な説明】
【００３８】
【図１】本実施形態に係るＤＶＤ記録再生装置の分解斜視図。
【図２】本実施形態に係るＤＶＤ記録再生装置のＰＣＢ及びボトムカバーの上面図及び断面図。
【図３】本実施形態に係るＤＶＤ記録再生装置に於けるスペーサの側面図及び上面図。
【符号の説明】
【００３９】
１      ＤＶＤ記録再生装置      
２      トップカバー
３      ベース    
４      トレー
５      フロントカバー  
５ａ    貫通孔
５ｂ    入力キー  
６      トレーパネル
７      メインＰＣＢ
７ａ    ＩＣパッケージ
７ｂ    貫通孔
８      サブＰＣＢ
８ａ    ＦＰＣ        
９      ボトムカバー  
９ａ    凸部
９ｂ    貫通孔    
１０    ネジ
１１    スペーサ
１１ａ  本体
１１ｂ  先端部
１１ｃ  括れ部
【図１】
0003107721.tif 000003
【図２】
0003107721.tif 000004
【図３】
0003107721.tif 000005